(57)【特許請求の範囲】
【請求項１】
すべり出し窓５０の自由端部に固定される固定枠板１と、この固定枠板１の前面に添設され、かつ、窓枠４１に固定された窓半開き用係止装置４０の揺動係合アーム４５の係合端部４６が係合する可動式の掛合枠板２１とから成り、前記固定枠板１は、取付けベース部２と、この取付けベース部の外側側端部に設けられたストッパー部１２とを有し、一方、前記掛合枠板２１は、前記取付けベース部の前面に支持されると共に前記係合端部４６を所定方向に案内する案内長孔３０を有する案内板部２２と、この案内板部の外側側端部に設けられた掛合板部２７とを有し、すべり出し窓５０を所定角度まで開放した時に、前記掛合枠板２１は、前記係合端部４６からその掛合板部２７に側圧力を受けると、前記案内板部２２の内側の側端縁部２２ｃが前記取付けベース部２の内側端縁８、９に支持された状態で前記外側側端部が浮上して前記ストッパー部１２に係止されることを特徴とするすべり出し窓用ストライク。
【請求項２】
請求項１に於いて、掛合枠板２１は、固定枠板１の前面に突設された一対の固定支軸１３を介して固定枠板１の前面に添設されていることを特徴とするすべり出し窓用ストライク。
【請求項３】
請求項２に於いて、固定枠板１の固定支軸１３にバネ３５が設けられ、掛合枠板２１は案内板部２２の内側端縁部が固定枠板１の取付けベース部２に支持された状態で前記バネ３５のバネ力に抗して外側側端部が浮上し、固定枠板１の側壁１０に設けたストッパー部１２に係止されることを特徴とするすべり出し窓用ストライク。
【請求項４】
請求項１に於いて、固定枠板の取付けベース部２の両端部に、固着具用の垂直調整長孔と、掛合枠板２１を取付けベース部２の前面に付勢するバネを支持する固定支軸１３と、掛合枠板２１と係合するストッパー部１２とがそれぞれ形成されていることを特徴とするすべり出し窓用ストライク。
【発明の詳細な説明】
【０００１】
【発明の属する技術分野】
本発明は、窓のたて枠に固定された窓中途開き（窓半開き）用係止装置の揺動係合アームと係合するすべり出し窓用ストライクに関する。
【０００２】
【従来の技術】
普通一般にビル等の室内に風を入れることを目的とする場合には、例えば窓のたて枠の垂直壁面に所定長さの揺動係合アームを備えた窓半開き用係止装置を固定し、一方、片開き式縦すべり出し窓の自由端部の側壁面に、窓開放角度規制用の揺動係合アームの端部と係合するストライクが固定される。このストライクのことを、当業者は「すべり出し窓用ストライク」と称し、日常の経験側として、このすべり出し窓用ストライクや前記揺動係合アームは、ビルの窓でよく見かけることができる。
【０００３】
さて、ビルの戸枠に枢着される片開き式の窓は、横幅の狭いものから広いものまである。当業者は、窓の横幅の表示方法として、「ＤＷ」の欧文字二字の記号を用い、ストライクの大きさ、ストライクの案内長孔に係合する係合ピンの大きさを区別している。
【０００４】
ところで、ストライクや係合ピンの大きさを変えたり或いは検討する必要があるのは、「ＤＷ」の寸法差により、ストライクの枠状外側側端部に対する揺動係合アームの係合端部からの当たりの強さ（側圧力）が異なってくるからである。
【０００５】
すなわち、普通一般に横幅の狭いすべり出し窓にストライクを取り付けた場合には、窓と戸枠との相対角度が大きくなるから、窓開閉時には、揺動係合アームの枢着基端部を基準にすると、係止ピンを有する係合端部の方がストライクの案内板部の一方コーナー（内側の側端縁）を支点に浮き上がり状態が大きくなり、ストライクの他方コーナー（枠状の外側側端部）に対する当たりの強さ（側圧力）が大きくなる。そのために揺動係合アームの係合端部が反る場合もある。
【０００６】
したがって、側圧力を極力回避するためには、係合端部が係合する枠状の外側側端部の大きくしたり、また係合ピンを長くしたりしなければならない。
これに対して、横幅の広いすべり出し窓にストライクを取り付けた場合には、窓と戸枠との相対角度が小さくなるから、窓開閉時には、前述した係合端部からの当たり（側圧力）が小さくなってくる。したがって、ストライクの他方コーナー（枠状の外側側端部）の案内空間を狭め、係合ピンも短いものにすることができる。
【０００７】
【発明が解決しようとする課題】
本発明は、以上のような従来の問題点、特に窓の「ＤＷ」の寸法差を起因とするストライクの他方コーナーの枠状形状の大きさや摺動係合アームの係合ピンの長さ変更を回避することができるストライクを提供することである。また本発明は、安価に製作するために、部品点数を少なくし、また固定枠板や掛合枠板の形態をシンプルにすることである。
【０００８】
【課題を解決するための手段】
本発明のすべり出し窓用ストライクは、すべり出し窓５０の自由端部に固定される固定枠板１と、この固定枠板１の前面に添設され、かつ、窓枠４１に固定された窓半開き用係止装置４０の揺動係合アーム４５の係合端部４６が係合する可動式の掛合枠板２１とから成り、前記固定枠板１は、取付けベース部２と、この取付けベース部の外側側端部に設けられたストッパー部１２とを有し、一方、前記掛合枠板２１は、前記取付けベース部の前面に支持されると共に前記係合端部４６を所定方向に案内する案内長孔３０を有する案内板部２２と、この案内板部の外側側端部に設けられた掛合板部２７とを有し、すべり出し窓５０を所定角度まで開放した時に、前記掛合枠板２１は、前記係合端部４６からその掛合板部２７に側圧力を受けると、前記案内板部２２の内側の側端縁部２２ｃが前記取付けベース部２の内側端縁８、９に支持された状態で前記外側側端部が浮上して前記ストッパー部１２に係止されることを特徴とする。
【０００９】
上記構成に於いて、固定枠板１の固定支軸１３にバネ３５が設けられ、掛合枠板２１は案内板部２２の内側端縁部が固定枠板１の取付けベース部２に支持された状態で前記バネ３５のバネ力に抗して外側側端部が浮上し、固定枠板１の側壁１０に設けたストッパー部１２に係止されることを特徴とする。
【００１０】
【発明の実施の形態】
図１乃至図１５に示す一実施例により本発明の実施の形態を説明する。Ａは片開きする窓の自由端部の側壁面に固定される「すべり出し窓用ストライク」である。ビルなどの窓枠には縦型又は横型のすべり出し窓が枢着されている。例えば縦すべり出し窓は、その一端部は窓枠に蝶番を介して枢着され、自由端部側から全開又は揺動式係合アームを介して所定角度まで半開き状態に開放可能である。
【００１１】
普通一般にビルの室内に風を入れることを目的とする場合には、図１５で示すように、例えば窓のたて枠４１の垂直壁面４２に所定長さの揺動係合アーム４５を備えた窓中途開き（窓半開き）用係止装置４０を固定し、一方、片開き式縦すべり出し窓５０の自由端部の側壁面５１に、窓開放角度規制用の前記揺動係合アーム４５と係合するストライクＡが固定される。
【００１２】
本実施例のストライクＡは、縦すべり出し窓の自由端部の側壁面に垂直状態に固定され、図１で示すように、固定枠板１と、この固定枠板１の前面に添設される可動式の掛合枠板２１と、この掛合枠板を固定枠板の前面側へ常時付勢するバネから成る。
【００１３】
そこで、まず、図５ないし図７を参照にして固定枠板１の構成を説明する。図５は固定枠板１の正面図で、一方、図７はその背面から見た斜視図である。これらの図から明らかなように、固定枠板１は、縦長の薄い金属板材を適宜に切欠し、かつ、外側側端部を外側に折り曲げして枠状に形成されている。
【００１４】
図５を基準にすると、２は窓の自由端部の垂直側壁面に図示しない固着具を介して固定される取付けベース部で、この取付けベース部２の内側側端部の上端部寄り部位から下端部寄り部位に至るまで縦方向に切欠部３が形成されている。この切欠部３は縦長状の開口部でも良いが、本実施例では、取付けベース部２の中央部から内側側端に至るまで完全に切欠されている。
【００１５】
４，５は取付けベース部２の取付け端部である。図５を基準にすると、符号４は上端部に相当し、一方、５は下端部に相当する。上下の取付け端部４，５は、上下対称の形状を成し、内側側端寄りの部位にビス止め用の垂直調整長孔６，６が上下一対形成されている。また、上下の取付け端部４，５の内側端縁には、取付けベース部２の前面２ａと同一面の指先状突起８，９が水平方向に延設している。
【００１６】
１０は取付けベース部２の外側の側端部を交差方向に折り曲げ形成した短い側壁で、この側壁１０の上下端部には、さらに取付けベース部２の前面２ａとの間で所要の空間（間隙）１１を形成する短片状の細幅ストッパー部１２が上下一対設けられている。
【００１７】
１３は取付けベース部２の上下の取付け端部４，５に突設された上下一対の固定支軸である。これらの固定支軸１３，１３は、前記細幅ストッパー部１２の近傍に水平状態に位置し、しかも、突出先端部のバネ受けフランジ部１４，１４は、細幅ストッパー部１２の前面よりも突出している。なお、取付けベース部２の背面２ｂは、フラットな状態と成っている。
【００１８】
次に、図８ないし図１０を参照にして可動式掛合枠板２１の構成を説明する。図８は掛合枠板２１の正面図で、一方、図１０はその背面から見た斜視図である。これらの図から明らかなように、掛合枠板２１も、縦長の薄い金属板材を適宜に切欠して形成され、固定枠板１の取付けベース部２の前面に支持されると共に前記係合端部４６を所定方向に案内する案内長孔３０を有する案内板部２２と、この案内板部２２の外側側端部を外側に折り曲げて枠状に連設形成された掛合板部２７とを有する。図８を基準にして付言すると、２２は取付けベース部２の前面２ａに支持されると共に上下の耳状係合部２３，２３を有する案内板部である。この案内板部２２の外側側端部寄りの上下端部には、前記耳状係合部２３，２３が上下一対突設されている。これらの耳状係合部２３，２３の中央部には、前述した固定支軸１３，１３がそれぞれ遊嵌合状態に貫通する貫通孔２４，２４が形成されている。
【００１９】
２２ｃは案内板部２２の内側の側端縁部で、この内側側端縁部２２ｃは、若干、その背面２２ｂに折れ曲がっている。一方、案内板部２２の外側の側端縁部には、前述した取付けベース部２と同様にその端部を交差方向に折り曲げることにより、短い連設側壁２５が設けられ、この連設側壁２５には、さらに下端部に逃し用切欠部２６を有する長板状の掛合板部２７が交差状態に連設している。
【００２０】
前記掛合板部２７は、本実施例では、案内板部２２の前面２２ａと略平行状態に対向し、前記前面２２ａと掛合板部２７の背面（裏側）との間には、窓の開放角度を規制する時に、揺動係合アームの係合端部の通過を許容する所要の案内空間２８が設けられている。
【００２１】
３０は案内板部２２に上下方向に形成され、かつ、揺動係合アームの係合端部の係合ピンを案内する案内長孔である。この案内長孔３０は、前述した逃し用切欠部２６付近の下端部に形成された幅広孔３１と、この幅広孔３１から鉛直方向に多少傾いた状態で連通する長孔３２とから成っている。
【００２２】
最後に、３５は掛合枠板２１を固定枠板１の前面２ａ側へ常時付勢する上下一対のバネで、本実施例ではコイルスバネが採用され、上下の固定支軸１３，１３にそれぞれ巻装されている。付勢バネ３５の外端部はバネ受けフランジ部１４に、一方、その内端部は掛合枠板２１の係合部２３の前面にそれぞれ圧接している。
【００２３】
上記構成に於いて、掛合枠板２１が固定枠板１の取付けベース部２の前面２ａに添設されると、その耳状係合部２３，２３の外側端部２３ａ，２３aが、図２ないし図４で示すように固定枠板１の空間１１，１１内にそれぞれ入り込む。また、掛合枠板２１の上下の縁部ないし耳状係合部２３，２３は、図３及び図４に示すように、取付けベース部２の前面２ａに面接合する。
【００２４】
次に、ストライクＡの実施形態を、図１１乃至図１５を参照に説明する。前述したように４０は窓のたて枠（窓枠）４１の垂直壁面４２に固定された窓中途開き或いは窓半開き用係止装置である。この窓半開き用係止装置４０は、所定長さに設定されかつ板状の揺動係合アーム４５を備えている。揺動係合アーム４５は、一端部が係止装置４０の機枠４３に枢軸４４を介して軸支され、一方、その係合端部４６はＬ字型状に形成されている。そして、係合端部４６一側面にはストライクＡと係脱する係合ピン４７が設けられている。
【００２５】
これに対し、ストライクＡは、前述したように片開き式縦すべり出し窓５０の自由端部の側壁面５１に垂直状態に固定されている。そこで、今仮に窓の開放角度を規制するために、ストライクＡの掛合枠板２１に前記揺動係合アーム４５の係合端部４６を係合させ、係合状態で片開き式縦すべり出し窓５０を開くと、該縦すべり出し窓５０の開放角度は、揺動係合アーム４５により規制される。
【００２６】
図１１は揺動係合アーム４５のＬ字型係合端部４６をストライクＡの掛合枠板２１の逃し用切欠部２６に嵌め合せるようにし、まず、その係合ピン４７を案内長孔３０の幅広孔３１に入れた状態を示す。次に、該縦すべり出し窓５０を開放すると、揺動係合アーム４５は枢支軸４４を支点に回転すると共に、その係合ピン４７は、図１２で示すように幅狭の長孔３２内を上方方向へと移動する。その結果、図１４及び図１５で示すように縦すべり出し窓５０は所定角度まで開放し、半開き状態となる。
【００２７】
しかして、縦すべり出し窓５０の開放時において、揺動係合アーム４５の係合端部４６の縁部が掛合枠板２１の掛合板部２７の背面２７ａに圧接すると、その外（前面）方向への側圧力により、掛合枠板２１は、固定枠板１の二つの支持突起８，９を支点に、かつ、付勢バネ３５のバネ力に抗してその外側の側端部が浮上する。この時、掛合枠板２１の耳状係合部２３の外側端部２３ａ，２３ａは、固定枠板１の細幅ストッパー部１２，１２に係止される。また、揺動係合アーム４５の係合端部よりの部位は、掛合枠板２１の内側の側端部に圧接した状態で縦すべり出し窓５０の開放角度を規制している。
【００２８】
【実施例】
掛合枠板２１の掛合板部２７は、案内板部２２と略平行であるが、例えば掛合板部２７をやや外向き指向（傾斜状）に形成することもできる。この場合には、係合端部からの側圧力を極力逃がすことができるという利点がある。
【００２９】
【発明の効果】
以上の説明から明らかなように、本発明にあっては、特に横幅の狭いすべり出し窓にストライクを取り付けた場合において、窓開閉時に、揺動係合アームの枢着基端部を基準にして係止ピンを有する係合端部の方からストライクの枠状の外側側端部に対する強い側圧力を受けても、掛合枠板の外側側端部が浮上し、かつ、固定枠板の側壁に設けたストッパー部に係止されるので、その分、ストライクの枠状外側側端部の形状を大きくしたり、また摺動係合アームの係合ピンを長くしたりしなくても済む。したがって、本発明のストライクは、窓の「ＤＷ」の寸法差が異なっても、幅広ないし幅狭の窓まで利用することができる。また本発明は、部品点数が少なく、固定枠板や掛合枠板の形態がシンプルなので、安価に製作することができる。
【図面の簡単な説明】
図１乃至図１５は本発明の一実施例を示す各説明図。
【図１】ストライクの斜視図。
【図２】ストライクの正面図。
【図３】ストライクの左側面図。
【図４】ストライクの平面図。
【図５】固定枠板の正面図。
【図６】図５の６−６線断面図。
【図７】固定枠板の背面からの斜視図。
【図８】掛合枠板の正面図。
【図９】図８の９−９線断面図。
【図１０】掛合枠板の背面からの斜視図。
【図１１】摺動係止アームの係合端部をストライクの逃し用切欠部に合わせた時の概略説明図。
【図１２】図１１に於いて、摺動係止アームの係合端部がストライクの案内長孔に案内された時の概略説明図。
【図１３】窓を半開き状態にした時に於いて、摺動係止アームとストライクとの係合関係を示す概略説明図。
【図１４】摺動係止アームからの側圧により、掛合枠板が浮いた状態の説明図。
【図１５】使用状態の一例を示す斜視図。
【符号の説明】
Ａ…ストライク、１…固定枠板、２…取付けベース部、２ａ…前面、２ｂ…背面、３…切欠部、４…上端部、５…下端部、６…垂直調整長孔、８，９…指先状突起、１０…側壁、１１…空間（間隙）、１２…細幅ストッパー部、１３…固定支軸、１４…バネ受けフランジ部、
２１…掛合枠板、２２…案内板部、２３…耳状係合部、２４…貫通孔、２５…短い連設側壁、２６…逃し用切欠部、２７…掛合板部、２８…案内空間、２９…、３０…案内長孔、３１…幅広孔、３２…長孔、３５…バネ、４０…係止装置、４１…窓枠、４２…垂直壁面、４３…機枠、４４…枢軸、４５…揺動係合アーム、４６…係合端部、４７…係合ピン、５０…縦すべり出し窓、５１…側壁面。
【図１】
0004278890.tif 000002
【図２】
0004278890.tif 000003
【図３】
0004278890.tif 000004
【図４】
0004278890.tif 000005
【図５】
0004278890.tif 000006
【図６】
0004278890.tif 000007
【図７】
0004278890.tif 000008
【図８】
0004278890.tif 000009
【図９】
0004278890.tif 000010
【図１０】
0004278890.tif 000011
【図１１】
0004278890.tif 000012
【図１２】
0004278890.tif 000013
【図１３】
0004278890.tif 000014
【図１４】
0004278890.tif 000015
【図１５】
0004278890.tif 000016